(57)【要約】【課題】漏水による問題が生じることなく、外装体全体の小型化を図る。【解決手段】器本体１２内に材料をセットした鍋１１を着脱可能に収容する収容部３５を備えた電気調理器（炊飯器１０）において、前記収容部３５の下側に、横方向に延びる仕切壁４４と、該仕切壁４４から上方に突出するように設けた環状壁４７とを備え、前記仕切壁４４の上側に前記環状壁４７で囲繞された水受部４９を形成するとともに、前記仕切壁４４の下側に制御基板４２を配設する基板配設部５０を設け、前記水受部４９から基板配設部５０の下側まで延びる排水路５１を設けた基板ホルダー４３を配設する。【選択図】図３
2007312845.tif 000002
【特許請求の範囲】
【請求項１】
調理器本体内に調理材料をセットした調理鍋を着脱可能に収容する収容部を備えた電気調理器において、
前記収容部の下側に、横方向に延びる仕切壁と、該仕切壁から上方に突出するように設けた環状壁とを備え、前記仕切壁の上側に環状壁で囲繞された水受部を形成するとともに、前記仕切壁の下側に制御基板を配設する基板配設部を設け、前記水受部から基板配設部の下側まで延びる排水路を設けた基板ホルダーを配設したことを特徴とする電気調理器。
【請求項２】
前記環状壁は、前記仕切壁の外周縁から突出し、前記排水路は、前記環状壁の一部を外向きに膨出させた垂直方向に延びる膨出部を設けてなることを特徴とする請求項１に記載の電気調理器。
【請求項３】
前記調理器本体は、筒状をなす胴体と、該胴体の下部に配設するとともに排水孔を形成した底体とを有する外装体を備え、前記胴体の下端縁に、内向きに突出する底部を設け、該底部に前記基板ホルダーと底体とを固定するようにしたことを特徴とする請求項１または請求項２に記載の電気調理器。
【請求項４】
前記基板ホルダーと底体との間に前記胴体の底部を挟み、前記基板ホルダーと底体とをネジ止めにより固定するようにしたことを特徴とする請求項３に記載の電気調理器。
【請求項５】
前記底体は、電源コードを導入する導入部を備え、前記基板ホルダーの排水路を、前記導入部から離れた位置に設けたことを特徴とする請求項３または請求項４に記載の電気調理器。
【請求項６】
横方向に延びる仕切壁と、該仕切壁から上方に突出するように設けた環状壁とを備え、前記仕切壁の上側に前記環状壁で囲繞された水受部を形成するとともに、前記仕切壁の下側に制御基板を配設する基板配設部を設け、前記水受部から基板配設部の下側まで延びる排水路を設けたことを特徴とする調理器の基板ホルダー。
【発明の詳細な説明】
【技術分野】
【０００１】
本発明は、炊飯器、もちつき機および製パン機など、調理器本体に対して調理鍋を着脱可能に収容する電気調理器に関し、特に、この調理器に用いる基板ホルダーに関するものである。
【背景技術】
【０００２】
調理鍋を着脱可能に構成した本発明の電気調理器に関連する先行技術文献情報としては次のものがある。
【０００３】
【特許文献１】特開平３−１６５１５号公報
【特許文献２】特開２０００−１６３号公報
【０００４】
これらの特許文献に記載の調理器は炊飯器であり、この炊飯器は、炊飯器本体に炊飯鍋を着脱可能に収容する収容部が形成されている。そして、この炊飯器は、炊飯鍋内に炊飯する米と水をセットした状態で収容部に収容させるものであるため、炊飯鍋に付着した水は勿論、炊飯鍋を収容部に収容させる際に水を零し、収容部内に浸入させる場合がある。
【０００５】
そして、この種の機器において、各負荷部品は所定の防水対策が施されているが、制御基板に水が付着することは絶対的に避ける必要がある。そこで、特許文献１では、炊飯器本体の底において、水が漏出する可能性がある温度センサを配設した底中央を避けるように、制御基板を水平方向に延びるように配設している。また、特許文献２では、炊飯器本体の外装体側部を構成する胴体と収容部との間に、垂直方向に延びるように制御基板を配設している。
【０００６】
しかしながら、炊飯器は勿論、近年の電気調理器は、調理メニューの多様化かつ複雑化が進んでいるため、制御基板の大型化は避けられない。そのため、特許文献１のように、炊飯器本体の底に制御基板を配設する構成では、水が滴下する可能性が高い中央部分を避けて配置することはできない。また、特許文献２のように、炊飯器本体の外装体と収容部との間に垂直に配設する構成では、配設スペースを確保する必要性から外装体が大型化するという問題がある。因みに、制御基板を２以上に分割して垂直方向に延びるように配設する炊飯器も提供されているが、この場合、複数の制御基板の位置決め、および、制御基板同士の接続が必要になるため、組立作業性が悪いという問題がある。
【発明の開示】
【発明が解決しようとする課題】
【０００７】
本発明は、従来の問題に鑑みてなされたもので、漏水による問題が生じることなく、外装体全体の小型化を図ることが可能な電気調理器および該調理器に用いる基板ホルダーを提供することを課題とするものである。
【課題を解決するための手段】
【０００８】
前記課題を解決するため、本発明の電気調理器は、調理器本体内に調理材料をセットした調理鍋を着脱可能に収容する収容部を備えた電気調理器において、前記収容部の下側に、横方向に延びる仕切壁と、該仕切壁から上方に突出するように設けた環状壁とを備え、前記仕切壁の上側に環状壁で囲繞された水受部を形成するとともに、前記仕切壁の下側に制御基板を配設する基板配設部を設け、前記水受部から基板配設部の下側まで延びる排水路を設けた基板ホルダーを配設したとしている。
具体的には、前記環状壁は、前記仕切壁の外周縁から突出し、前記排水路は、前記環状壁の一部を外向きに膨出させた垂直方向に延びる膨出部を設けてなる。
【０００９】
この電気調理器は、調理器本体において、基板ホルダーを水が滴下する可能性がある底を避けるのではなく、積極的に底に位置するように配設するため、調理器本体全体の小型化を実現できる。また、前記基板ホルダーは、横方向に延びる仕切壁の上部に水受部を設けるとともに、該水受部から下部の基板配設部の下部まで延びる排水路を設けているため、制御基板に水が付着するという問題を防止できる。
【００１０】
この電気調理器では、前記調理器本体は、筒状をなす胴体と、該胴体の下部に配設するとともに排水孔を形成した底体とを有する外装体を備え、前記胴体の下端縁に、内向きに突出する底部を設け、該底部に前記基板ホルダーと底体とを固定することが好ましい。
この場合、前記基板ホルダーと底体との間に前記胴体の底部を挟み、前記基板ホルダーと底体とをネジ止めにより固定することが好ましい。
このようにすれば、組立作業性を向上できるとともに、取付誤差に伴う水の漏水を防止できる。
【００１１】
また、前記底体は、電源コードを導入する導入部を備え、前記基板ホルダーの排水路を、前記導入部から離れた位置に設けることが好ましい。このようにすれば、漏出した水による感電を確実に防止できる。
【００１２】
そして、この調理器に用いる基板ホルダーは、横方向に延びる仕切壁と、該仕切壁から上方に突出するように設けた環状壁とを備え、前記仕切壁の上側に前記環状壁で囲繞された水受部を形成するとともに、前記仕切壁の下側に制御基板を配設する基板配設部を設け、前記水受部から基板配設部の下側まで延びる排水路を設けた構成のものである。
【発明の効果】
【００１３】
本発明の基板ホルダーでは、横方向に延びる仕切壁の上部に水受部を設けるとともに、該水受部から基板配設部の下部まで延びる排水路を設けているため、制御基板に水が付着するという問題を防止できる。そして、このように構成した基板ホルダー用いる電気調理器は、調理器本体の底において、基板ホルダーを水が滴下する可能性がある部分を避けるのではなく、その部分に積極的に位置するように配設するため、調理器本体全体の小型化を実現できる。
【発明を実施するための最良の形態】
【００１４】
以下、本発明の実施の形態を図面に従って説明する。
【００１５】
図１および図２は、本発明の実施形態に係る基板ホルダー４３を適用した電気調理器である炊飯器１０を示す。この炊飯器１０は、調理材料である米と水をセットする炊飯鍋１１（調理鍋）を着脱可能に収容する炊飯器本体１２（調理器本体）と、該炊飯器本体１２の上端開口を閉塞する蓋体５６とを備えたものである。
【００１６】
前記炊飯器本体１２は、図２および図３に示すように、鏡面仕上げを施した金属（ステンレス）製の筒体からなる胴体１３と、該胴体１３の上端開口に配設した円環状の肩体２１と、胴体１３の底に配設した底体２９とを有する外装体を備えている。
【００１７】
前記胴体１３は、図３および図４に示すように、金属板を絞り加工により下部の直径を徐々に小さくした略円筒形状のものである。この胴体１３の上端縁には、肩体２１を固定するために、水平方向外向きに突出するフランジ部１４が設けられている。また、胴体１３の下端縁には、後述する底体２９と基板ホルダー４３とを固定するための底部１５が水平方向内向きに突出するように設けられている。そして、この底部１５の中央には、略円形状をなす中心穴１６が設けられている。この中心穴１６は、基板ホルダー４３を嵌合して固定するために、内周縁に外方に延びる３つの嵌合溝１７ａ〜１７ｃが設けられている。そのうち、嵌合溝１７ａ，１７ｂは、その延び方向が直線的に一致するように設けられ、嵌合溝１７ｃは、嵌合溝１７ａ，１７ｂにかけて延びる仮想線に対して直交する方向に延びるように設けられている。また、中心穴１６には、商用電源からの電力線を導入するための切欠部１８が設けられている。さらに、底部１５において中心穴１６の周囲には、底体２９をネジ止めにより固定するためのネジ孔部１９と、ネジを挿通するためのネジ挿通孔２０とが設けられている。
【００１８】
前記肩体２１は、図２および図３に示すように、胴体１３のフランジ部１４に対して固着される樹脂製のものである。この肩体２１は、その中央に炊飯鍋１１を着脱可能に装着するための開口部２２が設けられている。また、肩体２１の背面側には、後述する蓋体５６を開閉可能に軸着するためのヒンジ接続部２３が設けられている。さらに、肩体２１の正面側には、蓋体５６を開放不可能にロックするためのロック爪部２４が設けられている。本実施形態では、この肩体２１は胴体１３より外方に突出するように形成され、その突出部分正面側に操作パネル２５が設けられている。この操作パネル２５は、肩体２１に設けた孔に別体の操作部材２６ａ〜２６ｅを配設するとともに、これら操作部材２６ａ〜２６ｅの背部（内部）にスペーサセット２７が配設され、このスペーサセット２７の背部にスイッチを実装したスイッチ基板２８が配設されている。
【００１９】
前記底体２９は、図５（Ａ），（Ｂ）に示すように、胴体１３の下部に配設される受皿形状をなす樹脂製のもので、その底には略球状に突出する脚部３０が周方向に等間隔で設けられている。また、この底体２９の上面には、放射状に突出する複数の補強リブ３１が設けられている。そして、本実施形態では、底体２９の最も深い位置である中央に複数の排水孔３２が設けられている。また、この底体２９には、商用電源と接続するための電源コードを導入する導入部３３が水平方向に貫通するように設けられている。さらに、底体２９には、胴体１３のネジ孔部１９に対応するネジ挿通孔３４が設けられている。
【００２０】
前記胴体１３、肩体２１および底体２９からなる外装体の内部には、図２および図３に示すように、炊飯鍋１１を着脱可能に収容するための金属製の収容部３５が配設されている。この収容部３５は、肩体２１の開口部２２の下端から下向きに延びる上端開口で下端閉鎖の筒状のもので、その底の中央には、加熱ヒータを配設した略椀状の加熱板（図示せず）および炊飯鍋１１の温度を検出する温度センサ（図示せず）を配設する凹部３６が設けられている。この凹部３６の中央には、温度センサを配設して固定するための貫通孔３７が設けられている。また、凹部３６の底には、加熱板を固定するためのネジ孔部３８が設けられるとともに、加熱板の配線を導出する導出孔３９が設けられている。これらネジ孔部３８および導出孔３９の周囲には、浸入を防止するためのリブ４０が設けられている。さらに、凹部３６の貫通孔３７の周囲には、複数の排水孔４１が設けられている。なお、この排水孔４１は、平面視で後述する基板ホルダー４３の水受部４９内に全て位置する。
【００２１】
また、外装体において収容部３５の下部の略中央には制御基板４２を配設するための樹脂製の基板ホルダー４３が配設されている。この基板ホルダー４３は、図３および図６（Ａ），（Ｂ）に示すように、平面視矩形状をなす仕切壁４４と、該仕切壁４４の外周縁から上下方向に突出するように設けた環状壁４７とを備えたものである。前記仕切壁４４は、水平方向に延びる水平部４５と、該水平部４５の端縁から上向きに傾斜して平面状に延びる傾斜部４６とを備えている。前記環状壁４７は、仕切壁４４の外周縁を囲繞するように上下に突出するものである。この環状壁４７には、水平部４５における傾斜部４６と反対側の端縁において、一側に偏った一部に、筒状をなすように外向きに膨出し、垂直方向に延びる膨出部４８が設けられている。この膨出部４８は、その内周面と水平部４５との間に所定の空間を形成する。
【００２２】
前記構成の基板ホルダー４３において、仕切壁４４と環状壁４７とで囲繞された上端開口の上側は、上方から滴下する水を受ける水受部４９を構成する。また、下端開口の下側は、制御基板４２を配設するための基板配設部５０を構成する。そして、前記環状壁４７の膨出部４８内は、水受部４９内から基板配設部５０の下側まで延びる排水路５１を構成する。なお、本実施形態では、図３に示すように、膨出部４８と対応する水平部４５の端縁には、下向きに突出する隔壁５２を設けている。また、基板ホルダー４３には、膨出部４８を設けた側に嵌合部５３ａ，５３ｂが設けられるとともに、反対側中央に嵌合係止部５４が設けられている。前記嵌合部５３ａ，５３ｂは、前記底部１５の嵌合溝１７ａ，１７ｂに嵌合される変形不可能なものである。前記嵌合係止部５４は、底部１５の嵌合溝１７ｃに嵌合されるもので、弾性的な変形が可能なものである。さらに、基板ホルダー４３の外周部には、ネジ止めにより固定するためのネジ締付部５５が設けられている。
【００２３】
前記蓋体５６は、図２に示すように、炊飯器本体１２に対して背面側のヒンジ接続部２３で開閉可能に軸着され、炊飯器本体１２の上部を閉塞する平面視円形状のものである。この蓋体５６は、樹脂製の第１蓋部材５７と、該第１蓋部材５７の下側に配設される樹脂製の第２蓋部材５８と、前記第１蓋部材５７の上側表面に配設される装飾カバー５９とを備えている。この装飾カバー５９は、胴体１３と同様に鏡面仕上げを施した金属（ステンレス）製のものである。また、前記第２蓋部材５８の下部には、金属製の内蓋本体６０の外周部に炊飯鍋１１の開口部内面をシールするシール部材６１を配設した内蓋６２が着脱可能に配設されている。なお、符号６３は、ロック爪部２４に係合するロック部６３ａを有する開放釦である。
【００２４】
前記構成の炊飯器１０を組み立てる場合には、例えば、基板ホルダー４３の嵌合部５３ａ，５３ｂを胴体１３の嵌合溝１７ａ，１７ｂに嵌め込んだ後、嵌合係止部５４を嵌合溝１７ｃに対して押し込むことにより、弾性的に変形させて嵌合させ係止する。
【００２５】
その後、胴体１３の底部１５に底体２９を配置し、ネジ止めにより固定する。この際、まず、基板ホルダー４３のネジ締付部５５に対応するネジ挿通孔３４からネジ挿通孔２０を貫通させてネジ締めすることにより、胴体１３の底部１５を基板ホルダー４３と底体２９との間に挟み込み、隙間が生じないように固定する。その後、他のネジ挿通孔３４と対応する胴体１３のネジ孔部１９とを締め付ける。
【００２６】
また、肩体２１に対して収容部３５を固定した後、この肩体２１に対して胴体１３を配置し、ネジ止めにより固定する。最後に、第１蓋部材５７、第２蓋部材５８および装飾カバー５９を組み立てた蓋体５６を肩体２１のヒンジ接続部２３に配置し、ヒンジスプリングによって蓋体５６を開放方向に付勢させた状態で軸着する。
【００２７】
このように、本発明の炊飯器１０では、嵌合により基板ホルダー４３を胴体１３の底部１５に位置決めし、底体２９をネジ止めることにより、胴体１３、底体２９および基板ホルダー４３の間に隙間を発生させることなく、作業性よく取り付けることができる。
【００２８】
また、前記炊飯器１０を使用すると、従来と同様に、炊飯鍋１１を収容する収容部３５内に水が浸水する場合がある。この場合、水は、加熱板の外周縁から収容部３５の凹部３６に浸水するとともに、温度センサを貫通させた加熱板の貫通孔から凹部３６へ浸水する。その後、凹部３６の排水孔４１から基板ホルダー４３の水受部４９に滴下し、傾斜部４６を伝って排水路５１に至り、制御基板４２に接触することなく下方に滴下される。そして、胴体１３の底部１５の中心穴１６を通って底体２９上に至り、該底体２９の排水孔３２から機外に排水される。
【００２９】
このように、本実施形態の炊飯器１０は、炊飯器本体１２の底において、水が滴下する可能性がある位置を避けるのではなく、積極的にその滴下位置に配設している。そして、横方向に延びる仕切壁４４の上部に設けた水受部４９で水を受け、基板配設部５０の下部まで延びるように設けた排水路５１で排水する構成としている。そのため、炊飯器本体１２の外装体全体の小型化を実現できるとともに、制御基板４２に水が付着するという問題を防止できる。
【００３０】
また、基板ホルダー４３を胴体１３の底部１５にネジ止めして固定しているため、取付誤差に伴う水の漏水を防止できる。さらに、前記排水路５１は、組付状態で底体２９の導入部３３から離れた位置としているため、漏出した水による感電を確実に防止できる。
【００３１】
なお、本発明の基板ホルダー４３は、前記実施形態の構成に限定されるものではなく、種々の変更が可能である。
【００３２】
例えば、前記実施形態では、排水路５１を仕切壁４４の外周部に位置する環状壁４７の膨出部４８により構成したが、仕切壁４４に孔を設け、その孔から筒部を突出することにより構成してもよい。また、環状壁４７は、仕切壁４４の外周縁から上下に延びるように設けたが、上面の所定部位からのみ上方に突出するように設けてもよい。
【００３３】
さらに、前記実施形態では、前記基板ホルダー４３を用いる電気調理器として炊飯器１０を適用したが、もちつき機や製パン機など、調理鍋を収容部３５に対して着脱可能に配設する調理器であれば、前記基板ホルダー４３を適用することにより、同様の作用および効果を得ることができる。
【図面の簡単な説明】
【００３４】
【図１】本発明の実施形態の基板ホルダーを備えた電気調理器である炊飯器を示す斜視図である。
【図２】図１の中央縦断面図である。
【図３】炊飯器本体の断面斜視図である。
【図４】胴体の平面図である。
【図５】（Ａ）は底体の斜視図、（Ｂ）は底体と基板ホルダーの関係を示す平面図である。
【図６】基板ホルダーを示し、（Ａ）は斜視図、（Ｂ）は底面図である。
【符号の説明】
【００３５】
１０…炊飯器（電気調理器）
１１…炊飯鍋（調理鍋）
１２…炊飯器本体（調理器本体）
１３…胴体
１５…底部
２１…肩体
２９…底体
３２…排水孔
３３…導入部
３５…収容部
３６…凹部
４１…排水孔
４２…制御基板
４３…基板ホルダー
４４…仕切壁
４７…環状壁
４９…水受部
５０…基板配設部
５１…排水路
５６…蓋体
【図１】
2007312845.tif 000003
【図２】
2007312845.tif 000004
【図３】
2007312845.tif 000005
【図４】
2007312845.tif 000006
【図５】
2007312845.tif 000007
【図６】
2007312845.tif 000008